(57)【要約】【課題】ＭＰ３プレーヤをカセットテープ再生・録音設備を備えたプレーヤで使用可能とする。【解決手段】 アダプタ１、ＭＰ３プレーヤ２により構成する。該アダプタはカセットテープ状の本体を呈し、該アダプタ上には収容区１１を具える。該収容区の両側壁にはそれぞれ嵌接部１２を具え、該アダプタの端面上には信号アダプタ１３を設ける。該信号アダプタは、該収容区中に設置するコネクタ１３１を具える。該ＭＰ３プレーヤの両側面にはそれ接合部２３を具え、該接合部は該収容区両側の該嵌接部に対応し、該ＭＰ３プレーヤは該アダプタの収容区中に設置される。該ＭＰ３プレーヤの片面には該信号アダプタのコネクタと電気的に接続する出力／入力部２４を設ける。【選択図】図２
0003102773.tif 000002
【実用新案登録請求の範囲】
【請求項１】
アダプタ、ＭＰ３プレーヤにより構成し、
該アダプタは、カセットテーププレーヤのカセット状の本体を呈し、該アダプタ上には収容区を具え、該収容区の両側壁にはそれぞれ嵌接部を具え、該アダプタの端面上には信号アダプタを設置し、該信号アダプタは該収容区中に設置するコネクタを具え、
該ＭＰ３プレーヤは、デジタル音声信号圧縮技術を用いて保存し、解凍再生するもので、該ＭＰ３プレーヤの両側面にはそれぞれ接合部を具え、該接合部は該収容区両側の該嵌接部に対応し、該ＭＰ３プレーヤは該アダプタの収容区中に設置され、該ＭＰ３プレーヤの片面には該信号アダプタのコネクタと電気的に接続する出力／入力部を設置してなることを特徴とするＭＰ３プレーヤのアダプタ。
【請求項２】
前記アダプタの片側には電源部を設置することを特徴とする請求項１記載のＭＰ３プレーヤのアダプタ。
【請求項３】
前記アダプタの反対側にはメモリカードを挿入設置可能なスロットを設置することを特徴とする請求項１記載のＭＰ３プレーヤのアダプタ。
【請求項４】
前記嵌接続部はレールであることを特徴とする請求項１記載のＭＰ３プレーヤのアダプタ。
【請求項５】
前記嵌接続部は凹溝であることを特徴とする請求項１記載のＭＰ３プレーヤのアダプタ。
【請求項６】
前記ＭＰ３プレーヤの片面上にはコントロールボタン及び表示スクリーンを設置することを特徴とする請求項１記載のＭＰ３プレーヤのアダプタ。
【請求項７】
前記接合部はレールであることを特徴とする請求項１記載のＭＰ３プレーヤのアダプタ。
【請求項８】
前記接合部は凹溝であることを特徴とする請求項１記載のＭＰ３プレーヤのアダプタ。
【考案の詳細な説明】
【技術分野】
【０００１】
本考案は、一種のＭＰ３プレーヤのアダプタに関する。特に一種のＭＰ３プレーヤをアダプタを利用して伝統的なカセットテーププレーヤのカセットとして使用可能とし、該伝統的なプレーヤは、ＭＰ３プレーヤの再生或いは録音機能を利用することができるＭＰ３プレーヤのアダプタに係る。
【背景技術】
【０００２】
日進月歩の勢いであるデジタル技術は、多くの伝統的なオーディオビジュアル（AV）製品をデジタル化している。そして、デジタルカメラ、デジタルオーディオ、VCD/DVDプレーヤ、ポータブルＣＤプレーヤ、ＭＰ３プレーヤなどのデジタル製品は伝統的なAV製品に取って代わろうとしている。
デジタル製品の内、多くの音声データをダウンロードして保存可能なＭＰ３プレーヤは、幅広いユーザーに支持されている。ＭＰ３プレーヤはその内部のプロセッサ及び保存デバイスを利用して、大量の音声データを保存し、かつ該音声データを再生することができる。しかも、ＭＰ３プレーヤ一台が多くのテープやＣＤに相当し、かつ該ＭＰ３プレーヤで再生される音質も優れているため、ますます普及が進んでいる。
しかし、該ＭＰ３プレーヤの普及が進んでいると言っても、普通の家庭にはやはりこれまで通りカセットテーププレーヤなどがある。けれども、ＣＤ及びＭＰ３プレーヤは、これらカセットテーププレーヤと徐々に役割を入れ替わろうとしているため、伝統的なプレーヤは壊れていないにもかかわらず使われないという状況が起きており資源の浪費となっているのである。
【考案の開示】
【考案が解決しようとする課題】
【０００３】
上記公知構造の欠点を解決するため、本考案はＭＰ３プレーヤのアダプタの提供を課題とする。
それは、ＭＰ３プレーヤを公知のプレーヤのカセット中において使用可能とするアダプタで、該ＭＰ３プレーヤは使用者が簡単にイヤホンを用い使用することができるだけでなく、該ＭＰ３プレーヤは伝統的なカセットを具えたプレーヤ中において再生或いは録音を行うことができる。
【課題を解決するための手段】
【０００４】
上記課題を解決するため、本考案は下記のＭＰ３プレーヤのアダプタを提供する。アダプタ、ＭＰ３プレーヤにより構成する。該アダプタは、カセットテープ状の本体を呈し、該アダプタ上には収容区を具える。該収容区の両側壁にはそれぞれ嵌接部を具え、該アダプタの端面上には信号アダプタを設置する。該信号アダプタは該収容区中に設置するコネクタを具える。該ＭＰ３プレーヤはデジタル音声信号圧縮を用いて保存し、解凍後再生するものである。該ＭＰ３プレーヤの両側面にはそれ接合部を具え、該接合部は該収容区両側の該嵌接部に対応し、該ＭＰ３プレーヤは該アダプタの収容区中に設置される。該ＭＰ３プレーヤの片面には該信号アダプタのコネクタと電気的に接続する出力／入力部を設置する。こうして、ＭＰ３プレーヤは該アダプタの使用により、伝統的なプレーヤのカセット中において使用され、該伝統的なプレーヤはＭＰ３プレーヤの再生或いは録音機能を実現することができる。
【考案の効果】
【０００５】
上記のように、本考案はＭＰ３プレーヤを公知のプレーヤのカセット中において使用可能とすることができる。また、本考案によりＭＰ３プレーヤは使用者が簡単にイヤホンを用いて使用することができるだけでなく、伝統的なカセットテープを使用するプレーヤ中において再生或いは録音を行うこともできる。
【考案を実施するための最良の形態】
【０００６】
図１〜５が示すように、本考案は主にアダプタ１、ＭＰ３プレーヤ２により構成する。該ＭＰ３プレーヤ２は、該アダプタ１により伝統的なカセットプレーヤにおいて使用され、該伝統的なプレーヤは、該ＭＰ３プレーヤ２の再生或いは録音を行うことができる。
該アダプタ１は、カセットテープ状の本体を呈し、該アダプタ１上に収容区１１を具える。該収容区１１の両側壁にはそれぞれ嵌接部１２を具え、該嵌接部１２はレール或いは凹溝とすることができる。該アダプタ１の端面上には信号アダプタ１３を設置し、該信号アダプタ１３は公知のプレーヤの磁気ヘッドが必要とするピックアップ信号と符合する。該信号アダプタ１３は該収容区１１中に設置するコネクタ１３１を具え、該アダプタ１の片側には電源部１４を設置する。さらに該アダプタ１の反対側にはメモリカード３を挿入可能なスロット１５を設置し、これにより該アダプタは音声データ保存を拡充する機能を具える(図５参照)。
【０００７】
該ＭＰ３プレーヤ２は、デジタル音声信号圧縮技術を用いてデータを保存し、解凍後再生するものである。該ＭＰ３プレーヤ２の一面には一個以上のコントロールボタン２１及び表示スクリーン２２を設置し、該ＭＰ３プレーヤ２の両側面にはそれ接合部２３を具える。該接合部２３は該嵌接部１２に対応しレール或いは凹溝とし、該接合部２３により該収容区１１両側の嵌接部１２に対応して挿入設置する。こうして該ＭＰ３プレーヤ２は該アダプタ１の収容区１１中に設置される。該ＭＰ３プレーヤ２の片面には該信号アダプタ１３のコネクタ１３１と電気的に接続する出力／入力部２４を設置する。該ＭＰ３プレーヤ２は別にメモリカード及び小型光ディスク（図示なし）を挿入設置可能なスロット１５を具えることができる。
【０００８】
本考案の使用時には、該ＭＰ３プレーヤ２の出力／入力部２４にイヤホン４を差込み、該ＭＰ３プレーヤ２を単独で使用することができる。また使用者が該ＭＰ３プレーヤ２内の音声データを公知のカセット設備を具えたプレーヤにおいて再生しようとするなら、該ＭＰ３プレーヤ２をその両側の接合部２３を利用して、該アダプタ１の収容区１１両側の嵌接部１２に対応させ挿入設置し、該ＭＰ３プレーヤ２を該アダプタ１の収容区１１中に設置する。同時に該ＭＰ３プレーヤ２の出力／入力部２４と信号アダプタ１３のコネクタ１３１を電気的に接続する。続いて、該ＭＰ３プレーヤ２を挿入設置したアダプタ１を公知のカセットテープ再生設備を具えたプレーヤに入れる。こうして、該公知のカセットテープ再生設備を具えたプレーヤの磁気ヘッドは該信号アダプタ１３を通して該ＭＰ３プレーヤ２中の音声信号を読み取り、スピーカを通じて音を発する。
【０００９】
次に図６が示すように、本考案のアダプタ１及びＭＰ３プレーヤ２は上記構造形態の他に、アダプタ１aの片面上に該収容区１１を貫通する貫通孔１６を設置し、該ＭＰ３プレーヤ２aの片面には信号アダプタ２５を設置することもできる。これにより、該ＭＰ３プレーヤ２aの設置時には、該片面の信号アダプタ２５は該アダプタ１a片面に設置する貫通孔１６に対応し、同様に該アダプタ１aが該ＭＰ３プレーヤ２aに対応することにより、該公知のカセットテープ再生設備を具えたプレーヤ中における使用を達成し、該公知のプレーヤは該ＭＰ３プレーヤ２aの再生或いは録音を行うことができる。
【図面の簡単な説明】
【００１０】
【図１】本考案の立体外観指示図である。
【図２】本考案の立体分解指示図である。
【図３】本考案の組み立て状態指示図である。
【図４】本考案の使用状態指示図である。
【図５】本考案の別の使用状態指示図である。
【図６】本考案の実施例指示図である。
【符号の説明】
【００１１】
１  アダプタ
１１  収容区
１２  嵌接部
１３  信号アダプタ
１３１  コネクタ
１４  電源部
１５  スロット
２  ＭＰ３プレーヤ
２１  コントロールボタン
２２  スクリーン
２３  接合部
２４  出力／入力部
３  メモリカード
４  イヤホン
【図１】
0003102773.tif 000003
【図２】
0003102773.tif 000004
【図３】
0003102773.tif 000005
【図４】
0003102773.tif 000006
【図５】
0003102773.tif 000007
【図６】
0003102773.tif 000008